(57)【特許請求の範囲】
【請求項１】
折り機において、
材料の走行ウェブを部分的に裁断するための第１の裁断装置が設けられており、
移動折畳みウェブを形成するように、前記材料の走行ウェブを折り畳むためのフォーマが設けられており、
前記移動折畳みウェブの両半部の間に配置された定置の折丁開放装置が設けられており、
さらに、前記移動折畳みウェブを少なくとも１つの折丁に裁断するように、前記フォーマの下流に配置された第２の裁断装置が設けられていることを特徴とする、折り機。
【請求項２】
前記第１の裁断装置が、対の裁断胴を含んでいる、請求項１記載の折り機。
【請求項３】
前記フォーマが、前記ウェブにおける複数の切込みを横方向に整合させる、請求項１記載の折り機。
【請求項４】
前記第２の裁断装置が、凹所を有しており、この凹所を前記定置の折丁開放装置が通過するようになっている、請求項１記載の折り機。
【請求項５】
前記定置の折丁開放装置が、剣状部材である、請求項１記載の折り機。
【請求項６】
前記定置の折丁開放装置が、前記第２の裁断装置の下流において厚さが増大している、請求項１記載の折り機。
【請求項７】
前記定置の折丁開放装置が、前記少なくとも１つの折丁を開放するために、前記少なくとも１つの折丁の両半部を広げて離す、請求項１記載の折り機。
【請求項８】
前記定置の折丁開放装置が、開口を有するようにフォーク状である、請求項１記載の折り機。
【請求項９】
前記少なくとも１つの折丁を受け取るために、前記開口を通過するための複数の楔形剣状部材が設けられている、請求項８記載の折り機。
【請求項１０】
前記楔形剣状部材を搬送するための剣状部材コンベヤが設けられている、請求項９記載の折り機。
【請求項１１】
前記剣状部材コンベヤが、前記少なくとも１つの折丁の移動方向に対して垂直な方向に移動する、請求項１０記載の折り機。
【請求項１２】
前記剣状部材コンベヤが、前記少なくとも１つの折丁の移動方向に対して３０°〜６０°の角度を成して移動する、請求項１０記載の折り機。
【請求項１３】
前記少なくとも１つの折丁を受け取るための複数の移動剣状部材が設けられている、請求項１記載の折り機。
【請求項１４】
前記移動剣状部材を搬送するための剣状部材コンベヤが設けられている、請求項１３記載の折り機。
【請求項１５】
前記剣状部材コンベヤが、前記少なくとも１つの折丁の方向に対して垂直な方向に移動する、請求項１４記載の折り機。
【請求項１６】
前記剣状部材コンベヤが、前記少なくとも１つの折丁の方向に対して約４５°の角度を成して移動する請求項１４記載の折り機。
【請求項１７】
丁合い装置において、
第１の折り機が設けられており、該第１の折り機が、材料のウェブを部分的に裁断するための第１の裁断装置と、前記材料のウェブを折り畳むためのフォーマと、前記ウェブの折り畳まれた両半部の間に配置された定置の折丁開放装置とを有しており、前記ウェブが前記定置の折丁開放装置を通過し、さらに前記第１の折り機が、折り畳まれたウェブを少なくとも１つの第１の折丁に裁断するために前記フォーマの下流に配置された第２の裁断装置を有しており、
前記少なくとも１つの第１の折丁を前記第１の折り機から搬送する搬送装置が設けられており、
第２の折り機が設けられており、該第２の折り機が、材料の第２のウェブを部分的に裁断するための第３の裁断装置と、前記材料の第２のウェブを折り畳むための第２のフォーマと、前記第２のウェブの折り畳まれた両半部の間に配置された第２の定置の折丁開放装置と、折り畳まれたウェブを少なくとも１つの第２の折丁に裁断するために前記第２のフォーマの下流に配置された第４の裁断装置とを有しており、前記少なくとも１つの第２の折丁が、前記搬送装置上の前記少なくとも１つの第１の折丁上に載置されるようになっていることを特徴とする、丁合い装置。
【請求項１８】
折丁を折り畳みかつ搬送するための方法において、
材料のウェブを部分的に切断し、
前記材料のウェブを、定置の折丁開放装置を中心として折り畳み、
さらに、第１の折丁を形成するように、前記材料の折り畳まれたウェブを裁断するステップから構成されており、この場合に、前記折丁開放装置が、前記折り畳まれたウェブの裁断時に該折り畳まれたウェブの間に位置する、折丁を折り畳みかつ搬送する方法。
【請求項１９】
材料の第２のウェブを部分的に裁断し、前記第２のウェブを第２の定置の折丁開放装置を中心として折り畳み、第２の折丁を形成するように前記第２の折り畳まれたウェブを裁断し、前記第２の折丁を前記第１の折丁上に載置することから成る、請求項１８記載の方法。
【発明の詳細な説明】
【０００１】
【発明の属する技術分野】
本発明は、概して、印刷機の折り機、特に、折丁を折り畳みかつ搬送するための装置および方法に関する。
【０００２】
【従来の技術】
ウェブ印刷機は、紙等の材料の連続するウェブを印刷する。印刷機の折り機において、連続するウェブは、フォーマによって折り畳まれ、折丁へと裁断される。次いで、折丁は、丁合い装置において丁合いされてよい。
【０００３】
丁合いまたは搬送を可能にするために折り畳まれた折丁を開放するための１つの方法は、ラップ、すなわち、折り畳まれた折丁に設けられた重なり合う領域を使用することである。装置は、ラップを用いて折丁を開放し、次いで、ラップを切り取る。ラップを切り取ることは、重大な廃棄物を生ぜしめかつ印刷プロセスのステップを増やし、印刷プロセスをより非効率的でかつ低速にする。
【０００４】
折り畳まれた折丁を開放するためのもう１つの方法は、グリッパを使用することである。折丁を開放するために、掴み装置は、折丁を掴み、次いで、折丁を開放する。しかしながら、掴み装置は、折丁に損傷を与える可能性がある。
【０００５】
したがって、例えば、折丁をサドルに戴置させるために折丁を開放する必要性は、製本所において重大な誤りの発生をもたらす。重大な誤りの発生により、慣用のサドル丁合い機械に複数の診断部材を追加することが必要とされ、これにより、コストが増大し、信頼性および生産性が減少する。
【０００６】
米国特許第３７６２６９７号明細書は、ウェブ輪転印刷機の折り装置と共に使用するためのデリバリ装置を開示することを主張する。紙ウェブは、裁断胴によってコピー長さに裁断され、次いで、折りブレード胴に引き渡され、フォールディングローラにおいて折り畳まれる。その後、折り畳まれた製品は、羽根車を用いて、コンベヤベルトへ排出される。
【０００７】
前記米国特許第３７６２６９７号明細書の装置は、折丁を開放しない。この装置は、折丁を折り畳むために複雑な折り装置を使用する。羽根車の配置と折り装置とにより、この装置は、修理に多くの時間が費やされかつ修理するのが困難でありまた、丁合いすることができない。
【０００８】
ヨーロッパ特許出願公告第０４７９０６７号明細書は、折丁を収集および載置するためのコレータを開示することを主張し、このコレータは明らかに、循環する第１の収容装置を有しており、この循環する第１の収容装置は、外方へ開放した複数の収容部を備えた横長のコンベヤとして構成されており、前記収容部に個々の折丁が挿入されかつ前記収容部から折丁が組み合わされて本ブロックを形成するようになっている。本ブロックは、第１の収容装置へ搬出され、次いで、第１の収容装置は、折丁を第２の収容装置へ搬出し、第２の収容装置において本ブロックは、調節可能な高さの後部ストッパにより取り除かれる。
【０００９】
ヨーロッパ特許出願公告第０４７９０６７号明細書によれば、折丁は、折丁が組み合わされる順序で本ブロックに進入しなければならない。なぜならば、この装置は折丁を開放しかつ他の折丁を挿入するためではないからである。さらに、この装置は、移動部材が複雑に配置されており、これにより、修理および保守に多くの時間が費やされかつ多くの費用がかかる虞がある。
【００１０】
【発明が解決しようとする課題】
したがって、本発明の課題は、折り畳み後のプロセスにおいて、折丁の開放または丁合いを排除するまたは単純化するための装置および方法を提供することである。
【００１１】
【課題を解決するための手段】
本発明は、材料のウェブを部分的に裁断するための第１の裁断装置と、折り畳まれたウェブを形成するように、前記材料のウェブを折り畳むためのフォーマと、通過する折り畳まれたウェブの両半部の間に配置された定置の折丁開放装置と、前記折り畳まれたウェブを少なくとも１つの折丁に裁断するように、前記フォーマの下流に配置された第２の裁断装置とから構成される折り機を提供する。
【００１２】
本発明の定置の開放装置、例えば、定置の剣状部材により、折り畳み後のプロセスにおいて別個の装置を用いて折丁を開放する必要はなくなる。定置の剣状部材は、折丁を開放することができる。したがって、本発明は、折り畳まれた折丁を開放するための折丁ラップを必要とせず、これにより、より経済的でかつ効率的な印刷プロセスが提供される。さらに、本発明は、グリッパを必要としないので、折丁の損傷を低減する。さらに、丁合いプロセス全体の速度も増進されてよい。
【００１３】
裁断装置は、有利には、複数対の裁断胴である。
【００１４】
有利には、折り畳み前挿入装置のフォーマは、ウェブの部分的な切込みを横方向で整合させる。この横方向の整合は、有利には、第１の対の裁断胴が裁断しなかった正確な位置でウェブを裁断することによって、第２の対の裁断胴がウェブから折丁を裁断することを可能にする。
【００１５】
折り畳み前挿入装置の第２の対の裁断胴は、定置の剣状部材を貫通させるための凹所を提供してよい。凹所は、定置の剣状部材が第２の対の裁断胴を貫通することができるという利点を提供し、これにより、第２の対の裁断胴は、定置の剣状部材に接触したり損傷を与えたりせずに、折丁を裁断することができる。
【００１６】
定置の剣状部材は、有利には、第２の対の裁断胴から下流において厚さが増大しており、これにより、折丁の縁部を開かせ、折丁を開放する。有利には、厚さの増大により、折丁は、折丁を開放するためのグリッパまたはその他の装置を必要とせずに、移動剣状部材に載置することができる。
【００１７】
有利には、定置の剣状部材は、開口を有しており、この開口により、複数の移動する楔形剣状部材が定置の剣状部材を通過することができる。開口により、有利には、移動する楔形剣状部材が、定置の剣状部材を通過することができ、これにより、折丁を定置の剣状部材から引き離すことができる。
【００１８】
本発明は、複数の移動剣状部材または移動する楔形剣状部材を搬送するための剣状部材コンベヤを含んでいてよい。剣状部材コンベヤは、剣状部材上の折丁を、剣状部材が付加的な折丁を受け取る、付加的な折り畳み前挿入装置へと進行させるかまたは丁合いプロセスにおけるその他のステップに続かせるという利点を提供している。
【００１９】
有利には、剣状部材コンベヤは、折丁が流れる方向に対して垂直な方向に移動する。
【００２０】
本発明の剣状部材コンベヤは、折丁が流れる方向に対して約４５°の角度を成して移動してもよい。有利には、剣状部材コンベヤの運動は、折丁と剣状部材コンベヤとの間の相対速度を減じ、したがって、本発明は、折丁に損傷を与えることなしに、より高速度で機能してよい。
【００２１】
本発明によれば、２つの折り機を有した丁合い装置も提供される。
【００２２】
本発明は、さらに、第１の裁断装置を用いて材料のウェブを部分的に裁断し、定置の剣状部材を中心に前記材料のウェブを折り畳み、第２の裁断装置を用いて前記材料のウェブから少なくとも１つの折丁を裁断するステップから構成される、剣状部材を折丁に挿入する方法をも提供する。
【００２３】
裁断装置は、有利には裁断胴である。
【００２４】
【発明の実施の形態】
本発明の有利な実施例を、添付図面を参照しながら下記に説明する。
【００２５】
図１は、折り機１の正面図を示している。第１の対の裁断胴２０は、第１の対の裁断胴２０のうちの少なくとも一方の外面に沿って配置された複数のナイフ３０を用いて、下流方向２へ走行しているウェブ６を裁断する。ナイフ３０のそれぞれが、複数の部分的な切込み３２のうちの１つをウェブ６上に形成する。次いで、Ａ側（Ａ半部）およびＢ側（Ｂ半部）を有しているウェブ６は、フォーマ８上を通過する。フォーマ８はウェブ６を折り畳み、これにより、Ａ側とＢ側とが折り重なり、部分的な切込み３２が横方向に整合する。フォーマ８の”陰”、すなわち、フォーマ８がウェブ６を変位させ、Ａ側とＢ側とが接触する領域に定置の剣状部材１２は配置されており、この定置の剣状部材１２は、図１に点線によって示されているように、フォーマ８にまで延びている。ウェブ６は、定置の剣状部材１２がウェブ６のＡ側とＢ側との間に配置されかつ部分的な切込み３２と整合するように、フォーマ８を出ていく。ウェブ６は続いて第２の対の裁断胴１０を通過し、この第２の対の裁断胴は、ウェブ６を少なくとも１つの折丁２２に裁断する。
【００２６】
第２の対の裁断胴１０の下流において、定置の剣状部材１２は厚さが増大しており、折り目と反対側の折丁２２の縁部を開放する。厚さが増大することにより、定置の剣状部材１２は折丁２２を開放し、これにより、折丁２２は、複数の移動剣状部材１４のうちの１つに被さる。移動剣状部材１４は、折丁２２の前側３６が第１の移動剣状部材３４の上面に接触しないように時間調節されている。折丁２２が下降する間に、第２の折丁４０は、第２の移動剣状部材３８に載置され、第３の折丁４４は、第３の移動剣状部材４６に載置される。剣状部材コンベヤ１６は、折丁２２の下降する方向に対して垂直な第２の方向１８へ、移動剣状部材１４，３４，３８，４６を搬送する。
【００２７】
図２は、折り機１の側面図を示しており、ウェブ６における部分的な切込み３２をも示している。この側面図は、ウェブ６に関連する第１の対の裁断胴２０と、フォーマ８と、定置の剣状部材１２とを示している。折り畳まれた縁部２１を形成するようにウェブ６を折り畳んだ後、フォーマ８は、ウェブ６の部分的な切込み３２を定置の剣状部材３２と整合するように配置し、これにより、部分的な切込み３２は、横方向に整合させられる。この横方向の整合により、第２の対の裁断胴１０は、第１の対の裁断胴２０が裁断しなかった正確な位置でウェブ６を裁断することによって、ウェブ６から折丁２２を裁断することができる。この裁断を達成するために、第２の対の裁断胴１０は、第２の対の裁断胴１０のうちの少なくとも一方の外面に沿って配置された複数の第２のナイフ５０を用いる。フォーマ８が、定置の剣状部材１２を部分的な切込み３２と整合させるので、定置の剣状部材１２は、第２の対の裁断胴１０を妨害しない。凹所２４により、定置の剣状部材１２が第２の対の裁断胴１０を通じて突出することができ、また凹所２４は、定置の剣状部材１２のための間隙を提供している。さらに、凹所２４により、定置の剣状部材１２がフォーマ８の下側から第２の対の裁断胴１０を通じて突出することができる。
【００２８】
図３は、丁合いのための本発明の実施例を示しており、この実施例は、図１および図２に示した折り機と同様の、第１の折り機６０と第２の折り機６２とを含んでいる。第１の折り機６０は、折丁２２を第１の丁合い剣状部材１１４に載置させるのに対し、第２の折り機６２は、別の折り畳まれた折丁６４を第２の丁合い剣状部材６６に載置させる。したがって、別の折り畳まれた折丁６４は、第１の折り機６０が丁合いプロセスにおいて既に載置した第２の折り畳まれた折丁６８の上に載置される。次いで、剣状部材コンベヤ１６は、丁合い剣状部材を方向１１３に搬送し、これにより、第１の丁合い剣状部材１１４は、第２の折り機６２へ移動し、第２の丁合い剣状部材６６は、別の折り機またはその他の目標箇所へ移動する。
【００２９】
図４は、フォーク状の定置の剣状部材１２０を含む、折り畳み前剣状部材挿入発明の第２の実施例を示している。フォーク状の定置の剣状部材１２０は、下部において２つのフォーク状の区分の間に開口を有しており、この開口により、複数の楔形剣状部材１００が方向１１１へ通過することができる。したがって、折丁２２の折り畳まれた縁部２１は、楔形剣状部材１００と互いに作用し合い、折丁を移動させる。フォーク状の定置の剣状部材１２０の形状により、折丁２２の両半部は、開放した定置の剣状部材１２０の外側に移動させられる。剣状部材コンベヤ１６によって駆動される楔形剣状部材１００は、定置の剣状部材１２０のフォークの間の開口を通過し、通過しながら折丁２２の内側に接触し、折丁２２を定置の剣状部材１２０から引き離す。次いで、楔形剣状部材１００は、折丁２２を別の定置の剣状部材またはその他の目標箇所にまで下流へ搬送する。
【００３０】
図５は、図４に示したものと同様の３つのフォーク状の定置の剣状部材７０２，７０４，７０６と、６つの折丁７１０，７１２，７１４，７１６，７１８，７２０とを有する丁合い装置の平面図を示している。図４の剣状部材１００と同様の、第１の楔形剣状部材７５０は、第１のフォーク状の定置の剣状部材７０２の開口を通過し、第１の部分的に丁合いされた折丁７１０の内側に接触し、第１のフォーク状の定置の剣状部材７０２から第１の部分的に丁合いされた折丁７１０を引き離す。第１の楔形剣状部材７５０が開口を通過している間に、第２の楔形剣状部材７５２は、第２のフォーク状の定置の剣状部材７０４の開口を通過し、第２のフォーク状の定置の剣状部材７０４から第２の部分的に丁合いされた折丁７１２を引き離す。同時に、第３の楔形剣状部材７５４が、第３のフォーク状の定置の剣状部材７０６を通過し、第３の部分的に丁合いされた折丁７１４を取り上げる。
【００３１】
さらに、第４の楔形剣状部材７５６と、第５の楔形剣状部材７５８と、第６の楔形剣状部材７６０とが示されており、これらの剣状部材それぞれは、丁合いプロセスと一致する方向へと進行している。第５の楔形剣状部材７５８は、第４の折丁７１６を支持しているのに対し、第６の楔形剣状部材７６０は、第６の部分的に丁合いされた折丁７１８および第７の部分的に丁合いされた折丁７２０を支持している。第４および第６の折丁７１６，７１８は、第１のフォーク状の定置の剣状部材７０２から引き離されており、第７の部分的に丁合いされた折丁７２０は、第２のフォーク状の定置の剣状部材７０４から引き離されている。
【００３２】
図６は、剣状部材コンベヤ１６を含む、折り畳み前剣状部材挿入発明の第３の実施例を示している。図４に示した折り機と同様の折り機１は、フォーク状の定置の剣状部材を通過する、剣状部材コンベヤ１６上の移動剣状部材１４のうちの１つに折丁２２を載置する。剣状部材コンベヤ１６は、折丁２２の下降方向５８に対して約４５°の非垂直方向５６に移動する。角度５４は、折丁２２の下降方向５８からの非垂直方向５６の逸れを規定している。角度５４自体は、剣状部材コンベヤ１６への折丁２２の受け渡しを容易にする速度５５成分を折丁２２に提供している。
【００３３】
ここに定義されるように、“剣状部材”は、一方の側が他方の二つの側のどちらよりも細い３次元の物体でありかつあらゆる形状、材料またはサイズであってよい。
【００３４】
フォーマボードの向きは、上に説明した実施例において示されているものと異なっていてよい。例えば、折り畳まれたウェブは、垂直方向ではなく水平方向に排出されてよい。したがって、例えば図６における装置は、時計回りに９０°回転させることができ、これにより、剣状部材コンベヤは、ページの上部左隅に向かって移動する（図示したような左下ではなく）。したがって、重力は、移動剣状部材に折丁を保持するのを助成することができる。
【図面の簡単な説明】
【図１】複数の部分的な切込みを含んだ折り機を示す正面図である。
【図２】部分的な切込みを含んだ折り機を示す側面図である。
【図３】第１の折り機と第２の折り機とを含んだ折り畳み前剣状部材挿入発明の第１の実施例である。
【図４】開放した定置の剣状部材を含んだ折り畳み前剣状部材挿入発明の第２の実施例である。
【図５】開放した３つの定置の剣状部材と、６つの折丁とを示す平面図である。
【図６】剣状部材コンベヤを含んだ折り畳み前剣状部材挿入発明の第３の実施例である。
【符号の説明】
１  折り機、  ２  下流方向、  ６  ウェブ、  ８  フォーマ、  １０  裁断胴、  １２  定置の剣状部材、  １４  移動剣状部材、  １６  剣状部材コンベヤ、  １８  第２の方向、  ２０  裁断胴、  ２１  縁部、  ２２  折丁、２４  凹所、  ３０  ナイフ、  ３２  切込み、  ３４，３８  移動剣状部材、  ３６  前側、  ４０，４４  折丁、  ４６  移動剣状部材、  ５０  ナイフ、  ５４  角度、  ５５  速度、  ５６  非垂直方向、  ５８  下降方向、  ６０，６２  折り機、  ６４，６８  折丁、  ６６  丁合い剣状部材、  １００  楔形剣状部材、  １１１，１１３  方向、  １１４  丁合い剣状部材、  １２０定置の剣状部材、  ７０２，７０４，７０６  定置の剣状部材、  ７１０，７１２，７１４，７１６，７１８，７２０  折丁、  ７３０  方向、  ７５０，７５２，７５４，７５６，７５８，７６０  楔形剣状部材
【図１】
0004068836.tif 000002
【図２】
0004068836.tif 000003
【図３】
0004068836.tif 000004
【図４】
0004068836.tif 000005
【図５】
0004068836.tif 000006
【図６】
0004068836.tif 000007